(57)【要約】【課題】  屋根や外壁などの外囲体に簡単に太陽電池モジュールパネルなどのパネルを取り付けることができるようにする。【解決手段】下地材（２）に外囲板（６）を固定し、外囲板（６）上にパネル（１０）を複数配置し、隣接する左右のパネル（１０）（１０）の側部を外囲板（６）に結合する。外囲板（６）は、長尺状の平板部（６a）と、平板部（６a）の一側部に形成された接合部（６e）と、平板部（６a）のの他側部に形成された固定部（６f）と、平板部（６a）の長手方向に沿ってスリット（６i）が形成された角筒型凸部（６l）とを備えている。外囲板（６）上に配置したパネル（１０）を、角筒型凸部（６l）のパネル載置部（６j）（６k）で支持し、パネル載置部（６j）（６k）上のパネル（１０）（１０）を、押え金具（８）（２４）の押え部（８a）（２４a）と角筒型凸部（６l）のパネル載置部（６j）（６k）とで挟持する。【選択図】  図１
2011122305.tif 000002
【特許請求の範囲】
【請求項１】
下地材（２）に外囲板（６）（３８）を固定し、該外囲板（６）（３８）のパネル載置部上にパネル（１０）を複数配置し、隣接する左右のパネル（１０）（１０）の側部を外囲板（６）（３８）に結合するようにしたパネル取付用外囲体であって、前記外囲板（６）（３８）にその長手方向に沿ってスリット（６i）（５４）が形成された中空の凸部（６ｌ）（５６）を形成し、前記凸部（６l）（５６）が、所定の間隔を存して対向する立ち上り部（６g）（６h）（４２）（４０）と、該立ち上り部（６g）（６h）（４２）（４０）に対して直角に屈折し、互いの対向部に前記スリット（６i）（５４）が形成されたパネル載置部（６j）（６k）（４６）（４４）とから成り、前記外囲板（６）（３８）上に配置したパネル（１０）を、前記凸部（６ｌ）（５６）のパネル載置部（６j）（６k）（４６）（４４）で支持し、該パネル載置部（６j）（６k）（４６）（４４）上のパネル（１０）（１０）を、押え金具（８）（２４）の押え部（８a）（２４a）と前記凸部（６l）（５６）の前記パネル載置部（６j）（６k）（４６）（４４）とで挟持したことを特徴とするパネル取付用外囲体。
【請求項２】
前記外囲板（６）が、長尺状の平板部（６a）と、該平板部（６a）の一側部に形成された接合部（６e）と、前記平板部（６a）の他側部に形成された固定部（６f）と、前記平板部（６a）の長手方向に沿ってスリット（６i）が形成された中空の凸部（６l）とを備え、前記接合部（６e）が、前記平板部（６a）に対して直角に屈折形成された立ち上り部（６b）と、該立ち上り部（６b）に対して外側方に向けて直角に屈折形成されたパネル載置部（６c）と、該パネル載置部（６c）に一体的に形成された接続片（６d）とから成ることを特徴とする請求項１に記載のパネル取付用外囲体。
【請求項３】
前記外囲板（３８）が、長尺状の平板部（３８ａ）と、該平板部（３８a）の両側部に直角に形成された立ち上がり部（４０）（４２）と、前記立ち上がり部（４０）（４２）の上端に直角に形成されたパネル載置部（４４）（４６）と、該パネル載置部（４４）（４６）の側部に形成された接続片（４８）（５０）とから成り、前記下地材（２）に、立ち上がり部（５２ｃ）（５２ｄ）とこれに対して直角な上位水平部（５２ｅ）（５２ｄ）を有する吊子兼用の連結部材（５２）を固定し、該連結部材（５２）の左右に前記外囲板（３８（３８）を配置し、該外囲板（３８）（３８）の前記接続片（５０）（４８）を前記連結部材（５２）の上位水平部（５２ｅ）（５２ｄ）に固定し、該左右の外囲板（３８）（３８）の立ち上がり部（４２）（４０）とこれに連結する前記パネル載置部（４６）（４４）とで前記凸部（５６）を形成したことを特徴とする請求項１に記載のパネル載置部取付用外囲体。
【請求項４】
前記押え金具（８）が、ボルト挿入孔を有する長尺帯板状の押え部（８a）と、ボルト（１２）と、板ナット（１４）とから成ることを特徴とする請求項１に記載のパネル取付用外囲体。
【請求項５】
前記押え金具（２４）が、長尺帯板状の押え部（２４a）と、長尺帯板状の係止部（２４b）と、前記押え部（２４a）と係止部（２４b）とを結合する結合部（２４c）とから成り、前記結合部（２４c）の両側の前記押え部（２４a）と係止部（２４b）との対向面間にパネル（１０）の厚さに応じたパネル嵌合部（２４d）（２４e）が形成されていることを特徴とする請求項１に記載のパネル取付用外囲体。
【請求項６】
前記外囲板（６）が、両側部間に、立ち上り部（６m）（６n）と直角方向に屈折したパネル載置部（６o）（６p）とから成るパネル支持凸部を少なくとも１個備えていることを特徴とする請求項１に記載のパネル取付用外囲体。
【発明の詳細な説明】
【技術分野】
【０００１】
本発明は、屋根板や外壁板などの外囲板に、太陽電池モジュールパネルや木材、石材、金属などから成る化粧パネル等のパネルを取り付けるための、パネル取付用外囲体に関する。
【背景技術】
【０００２】
太陽電池モジュールパネルを強固に連結でき、しかもパネルの下方に十分な空気層を形成できるようにした屋根用太陽電池モジュールパネル取付装置が従来知られている。（例えば特許文献１参照）。
【先行技術文献】
【特許文献】
【０００３】
【特許文献１】特許第４３３０２２１号公報
【発明の概要】
【発明が解決しようとする課題】
【０００４】
従来の上記パネル取付装置は、主要な構成部品としてアルミ材などからなるフレームを用い、このフレームと押え金具によって太陽電池モジュールパネルなどのパネルを屋根板などに取り付ける構成となっている。そのため、構造や組み付け工程が複雑となり、コスト高となるという問題点がある。
本発明は、上記問題点を解決することを目的とするものである。
【課題を解決するための手段】
【０００５】
上記目的を達成するため、本発明は、下地材（２）に外囲板（６）（３８）を固定し、該外囲板（６）（３８）のパネル載置部上にパネル（１０）を複数配置し、隣接する左右のパネル（１０）（１０）の側部を外囲板（６）（３８）に結合するようにしたパネル取付用外囲体であって、前記外囲板（６）（３８）にその長手方向に沿ってスリット（６i）（５４）が形成された中空の凸部（６l）（５６）を形成し、前記凸部（６l）（５６）が、所定の間隔を存して対向する立ち上り部（６g）（６h）（４２）（４０）と、該立ち上り部（６g）（６h）（４２）（４０）に対して直角に屈折し、互いの対向部に前記スリット（６i）（５４）が形成されたパネル載置部（６j）（６k）（４６）（４４）とから成り、前記外囲板（６）（３８）上に配置したパネル（１０）を、前記凸部（６ｌ）（５６）のパネル載置部（６j）（６k）（４６）（４４）で支持し、該パネル載置部（６j）（６k）（４６）（４４）上のパネル（１０）（１０）を、押え金具（８）（２４）の押え部（８a）（２４a）と前記凸部（６l）（５６）の前記パネル載置部（６j）（６k）（４６）（４４）とで挟持したものである。
また本発明は、前記外囲板（６）が、長尺状の平板部（６a）と、該平板部（６a）の一側部に形成された接合部（６e）と、前記平板部（６a）の他側部に形成された固定部（６f）と、前記平板部（６a）の長手方向に沿ってスリット（６i）が形成された中空の凸部（６l）とを備え、前記接合部（６e）が、前記平板部（６a）に対して直角に屈折形成された立ち上り部（６b）と、該立ち上り部（６b）に対して外側方に向けて直角に屈折形成されたパネル載置部（６c）と、該パネル載置部（６c）に一体的に形成された接続片（６d）とから成ることを特徴とする。
また本発明は、前記外囲板（３８）が、長尺状の平板部（３８ａ）と、該平板部（３８a）の両側部に直角に形成された立ち上がり部（４０）（４２）と、前記立ち上がり部（４０）（４２）の上端に直角に形成されたパネル載置部（４４）（４６）と、該パネル載置部（４４）（４６）の側部に形成された接続片（４８）（５０）とから成り、前記下地材（２）に、立ち上がり部（５２ｃ）（５２ｄ）とこれに対して直角な上位水平部（５２ｅ）（５２ｄ）を有する吊子兼用の連結部材（５２）を固定し、該連結部材（５２）の左右に前記外囲板（３８（３８）を配置し、該外囲板（３８）（３８）の前記接続片（５０）（４８）を前記連結部材（５２）の上位水平部（５２ｅ）（５２ｄ）に固定し、該左右の外囲板（３８）（３８）の立ち上がり部（４２）（４０）とこれに連結する前記パネル載置部（４６）（４４）とで前記凸部（５６）を形成したものである。
また本発明は、前記押え金具（８）が、ボルト挿入孔を有する長尺帯板状の押え部（８a）と、ボルト（１２）と、板ナット（１４）とから成ることを特徴とする。
また本発明は、前記押え金具（２４）が、長尺帯板状の押え部（２４a）と、長尺帯板状の係止部（２４b）と、前記押え部（２４a）と係止部（２４b）とを結合する結合部（２４c）とから成り、前記結合部（２４c）の両側の前記押え部（２４a）と係止部（２４b）との対向面間にパネル（１０）の厚さに応じたパネル嵌合部（２４d）（２４e）が形成されていることを特徴とする。
また本発明は、前記外囲板（６）が、両側部間に、立ち上り部（６m）（６n）と直角方向に屈折したパネル載置部（６o）（６p）とから成るパネル支持凸部を少なくとも１個備えていることを特徴とする。
【発明の効果】
【０００６】
本発明は、簡単な構造で、屋根や外壁などの外囲体にパネルを脱着可能に取り付けることができ、またパネルの交換を簡単に行うことができる。
【図面の簡単な説明】
【０００７】
【図１】本発明の正面説明図である。
【図２】本発明の他の実施形態を示す正面説明図である。
【図３】本発明の他の実施形態を示す正面説明図である。
【図４】本発明の他の実施形態を示す正面説明図である。
【図５】本発明の正面説明図である。
【図６】Ａ−Ａ線断面図である。
【図７】本発明の他の実施形態を示す正面説明図である。
【図８】本発明の他の実施形態を示す正面説明図である。
【発明を実施するための形態】
【０００８】
以下に本発明の構成を添付した図面を参照して詳細に説明する。
図１において、（２）は屋根（外囲体）の下地材であり、野地板により構成されている。下地材（２）は、Ｃ型鋼などから成る母屋（図示省略）によって支持されている。前記下地材（２）の上面には、アスファルトルーフィングなどの合成樹脂製の防水シート（４）が敷設されている。
【０００９】
（６）は外囲板であり、ステンレス・鋼板や金属などの横幅約４０センチメートルの、紙面垂直方向に延びる長尺帯状の金属板により構成されている。外囲板（６）は、複数、縦向きの状態すなわち長手方向が建物の棟に対して直角を向いた状態で、横方向に即ち、棟に対して平行な図１中、左右方向に並列状に配置されている。各外囲板（６）は図１に示すように、左側部に、平板部（６a）に対して直角な立ち上り部（６b）と、該立ち上り部（６b）に対して外側に直角に屈折したパネル載置部（６c）と、パネル載置部（６c）に対して下向きに屈折した接続片（６d）とから成る接合部（６e）が形成されている。
【００１０】
各外囲板（６）の右側部には、平板部（６a）と水平方向に連続する所定幅の取付片から成る固定部（６f）が形成されている。平板部（６a）には、固定部（６f）に隣接して、平板部（６a）に直角な、互いに対向する、二重構造の立ち上り部 （６g）（６h）と、該立ち上り部 （６g）（６h）に対して内側に直角に屈折した、スリット(６i)を介して互いに対向する、二重構造のパネル載置部（６j）（６k）からなる角筒型凸部（６l)が形成されている。
【００１１】
前記外囲板（６）の両側部間には、所定の間隔を存して、複数の、立ち上り部（６m）（６n）と、これらに直角なパネル載置部（６o）（６p）とからなるパネル支持部（６q）（６r）が一体的に形成されている。各パネル支持部（６q）（６r）は、二重構造となっている。外囲板（６）の角筒型凸部（６l）、パネル支持部（６q）（６r）、接合部（６e）の各パネル載置部（６j）（６k）（６o）（６p）（６c）は、同一高さに設定されている。
【００１２】
（８）は押え金具であり長尺帯板状の押え部（８a）を有し、該押え部（８a）に、所定間隔置きにボルト挿入穴が穿設されている。押え部（８ａ）は、太陽電池モジュールパネル（１０）の側部の長さと略同一長に形成されている。押え部（８a）のプレート押え面には摩擦面が設けられている。図１中、（１２）はボルト、（１４）は板ナット、（１６）はコイルスプリングである。
【００１３】
次に、外囲板（６）を下地材（２）の上に取り付ける工程について説明する。
図１において、左側から外囲板（６）を防水シート（４）の上から下地材（２）上に配置し、該外囲板（６）の左側部の接合片（６d）を隣接する外囲板（６）のパネル載置部（６k）に接合し、しかる後に、左側の外囲板（６）の固定部（６f）をビス（１８）によって、下地材（２）の上から母屋に固定する。
【００１４】
次に、外囲板（６）を、左側の外囲板（６）の右側に配置し、その下向き接続片（６d）を、左側の外囲板（６）のパネル載置部（６k）に引掛け 、該引掛け部分をかしめて即ち屈折させてパネル載置部（６k）に結合する。このようにして、順次、複数の外囲板（６）を横方向に接続する。下地材（２）上に敷設された各外囲板（６）のパネル載置部は、同一平面上に配列される。
【００１５】
次に、外囲板（６）上に複数の太陽電池モジュールパネル（１０）を配置し、各太陽電池モジュールパネル（１０）の両側部を対応する外囲板（６）（６）の左側のパネル載置部（６c）と、右側のパネル載置部（６j）に載置する。次に、板ナット（１４）の向きを変えて、板ナット（１４）をスリット（６i）から角筒型凸部（６l）の内部に挿入配置し、押え金具（８）の押え部（８a）を、対向するパネル載置部（６j）（６k）に載置されている一対の太陽電池モジュールパネル（１０）（１０）の側部の上に載置するとともに、板ナット（１４）の向きを、パネル載置部（６j）（６k）の下面と係合するように変える。
【００１６】
次に、押え金具（８）のボルト挿入孔に挿入されているボルト（１２）を板ナット（１４）にねじ込み、板ナット（１４）をパネル載置部（６j）（６k）の下面に圧着する。これにより、板ナット（１４）と押え部（８a）との締付力で、一対の太陽電池モジュールパネル（１０）（１０）の側端部を、押え部（８a）とパネル載置部（６j）（６k）とで挟圧し、各太陽電池モジュールパネル（１０）を外囲板（６）の角筒型凸部（６l）に脱着可能に固定する。
【００１７】
このように、左右の太陽電池モジュールパネル（１０）（１０）の隣接対向部は、押え金具（８）によって、外囲板（６）の角筒型凸部（６ｌ）に結合される。ボルト（１２）を緩め、板ナット（１４）の向きを変えることで、押え金具（８）を、外囲板（１０）から外すことができる。
【００１８】
上記実施形態では、同一形状の外囲板（６）を複数横方向に並列配置し、互いに、外囲板（６）の角筒型凸部（６l）を介して結合した構成を採用したが図２に示すように外囲板（６）の角筒型凸部（６l）の形成された部分をカットし、このカットした外囲板（６）を、下地材（２）に固定された非カット外囲板（６）の角筒型凸部（６l）に結合するようにしても良い。
【００１９】
図２に示すように、角筒型凸部をカットした外囲板（６’）の接合部（６e’）は、隣接する非カット外囲板（６）のパネル載置部（６k）に結合され、カットした部分の平板部は固定部（６f’）として利用され、この固定部（６f’）がビス（１８）により、下地材（２）側に固定される。本実施形態の他の構成は第１の実施形態と同一である。
【００２０】
図３は、外囲板（６）に、これとは、形状の異なる外囲板（２０）を結合した実施形態を示している。外囲板（２０）は、平板部（２０a）と、その一側部に形成された接合部（２０b）と、他側部に形成された吊子部（２０c）とから成る。両側部間には、パネル支持部が形成されていない。押え金具（８）と外囲板（２０）の接合部（２０b）間には、太陽電池モジュールパネル（１０）と同じ厚さのスペーサ（２２）が配置されている。
【００２１】
尚、上記実施形態では、外囲板（６）のパネル支持部上に太陽電池モジュールパネル（１０）を支持した構成となっているが、本発明は、特に太陽電池モジュールパネル（１０）に限定されるものではなく、例えば、アルミ板や木製板などの化粧パネルなどのパネルを外壁や屋根に取り付ける場合にも、本発明の構成を用いることができる。
【００２２】
また、本発明において、押え金具は、図１に示す実施形態に特に限定されるものではない。押え金具の他の実施形態を図４を参照して以下に説明する。
押え金具（２４）は、長尺帯板状の押え部（２４a）と、長尺帯板状の係止部（２４b）と、押え部（２４a）と係止部（２４b）とを中央で連結する結合部（２４c）とより構成され、結合部（２４c）の両測に、パネル嵌合部（２４d）（２４e）が形成されている。、押え金具（２４）は、全体として断面形状が工型に形成されている。パネル嵌合部（２４d）（２４e）は、予め太陽電池モジュールパネル（１０）等のパネルの厚さに応じて形成されている。
【００２３】
上記した構成において、外囲板（６）上に、図４に示すように太陽電池モジュールパネル（１０）を載置し、外囲板（６）の長手方向（紙面垂直方向）の端部から押え金具（２４）を角筒型凸部（６l）に沿ってスライドさせる。このとき、押え金具（２４）の係止部（２４b）の上面がパネル載置部（６j）（６k）の下面に密着し、押え部（２４a）の下面が、パネル載置部（６j）（６k）上の太陽電池モジュールパネル（１０）（１０）の側部の上面に密着し、一対の太陽電池モジュールパネル（１０）（１０）が、押え金具（２４）により、外囲板（６）のパネル載置部（６j）（６k）に固定される。
【００２４】
上記左右方向に配列されたパネル（１０）（１０）に、縦方向にパネル（２６）を隣接し、この隣接したパネル（１０）（２６）を連結する場合には、図５に示すように、支持金物（２８）を用いる。支持金物（２８）は、垂直部（２８ａ）（２８ｂ）と、載置部（２８ｃ）と内側に屈折した係止部（２８ｄ）を有している。垂直部（２８ａ）のねじ穴にボルト（３０）をねじ込みボルト（３０）の先端と係止部（２８ｄ）の先端とを、外囲板（６）の立ち上り部（３２）に圧接することで、支持金物（２８）を外囲板（６）の立ち上り部（３２）に固定する。
【００２５】
次に、図６に示すように、縦方向に隣接するパネル（１０）（２６）間に長尺状又は短尺状の押え金物（３４）を配置し、該押え金物（３４）のねじ挿入孔に挿入したボルト（３６）を載置部（２８ｃ）に設けたねじ穴にねじ込み、このボルト（３６）の締付力によって、押え金物（３４）をスペーサを介して、パネル（１０）（２６）の上面に圧着し、パネル（１０）（２６）を外囲板（６）に固定する。
図７及び図８は、本発明の他の実施形態を示し、用いられる外囲板（３８）は、左右両側に、立ち上り部（４０）（４２）と、パネル載置部（４４）（４６）と、接続片（４８）（５０）を備えている。
【００２６】
吊子兼用の金属板から成る連結部材（５２）が用意され、該連結部材（５２）は、左右に水平に延びる取付部（５２ａ）（５２ｂ）と、立ち上り部（５２ｃ）（５２ｄ）と、互いに向き合う上位水平部（５２ｅ）（５２ｆ）と、平板部（５２ｇ）とより構成される。この連結部材（５２）は、短尺物でも良く、また長尺物でも良い。連結部材（５２）の取付部（５２ａ）（５２ｂ）は、ビスによって、下地材（２）に固定され、左右に配置された外囲板（３８）（３８）の接続片（４８）（５０）が対応する連結部材（５２）の上位水平部（５２ｅ）（５２ｆ）にかしめにより固定される。連結部材（５２）に連結された左右の外囲板（３８）（３８）には、スリット（５４）を有する中空状の凸部（５６）が形成される。外囲板（３８）（３８）の上位水平部（４６）（４４）上のパネル（１０）（１０）は、押え金具（８）と、ボルト（１２）と板ナット（１４）により、外囲板（３８）に脱着可能に固定される。本実施形態の他の構成は第１の実施形態と同一である。
【符号の説明】
【００２７】
２      下地材
４      防水シート
６      外囲板
６a     平板部
６b     立ち上り部
６c    パネル載置部
６d    接続片
６e    接合部
６f    固定部
６g    立ち上り部
６h    立ち上り部
６i    スリット
６j    パネル載置部
６k    パネル載置部
６l    角筒型凸部
６m    立ち上り部
６n    立ち上り部
６o    パネル載置部
６p    パネル載置部
６q    パネル支持部
６r    パネル支持部
８      押え金具
８a     押え部
１０    太陽電池モジュールパネル
１２    ボルト
１４    板ナット
１６    コイルスプリング
１８    ビス
２０    外囲板
２０a    平板部
２０b    接合部
２０c    吊子部
２２    スペーサー
２４    押え金具
２４a    押え部
２４b    係止部
２４c    結合部
２４d    パネル嵌合部
２４e    パネル嵌合部
２６      パネル
２８      支持金物
２８ａ    垂直部
２８ｂ    垂直部
２８ｃ    載置部
２８ｄ    係止部
３０      ボルト
３２      立ち上り部
３４      押え金物
３６      ボルト
３８      外囲板
４０      立ち上り部
４２      立ち上り部
４４      上位水平部
４６      上位水平部
４８      接続片
５０      接続片
５２      連結部材
５２ａ    取付部
５２ｂ    取付部
５２ｃ    立ち上り部
５２ｄ    立ち上り部
５２ｅ    上位水平部
５２ｆ    上位水平部
５２ｇ    平板部
５４      スリット
５６      凸部
【図１】
2011122305.tif 000003
【図２】
2011122305.tif 000004
【図３】
2011122305.tif 000005
【図４】
2011122305.tif 000006
【図５】
2011122305.tif 000007
【図６】
2011122305.tif 000008
【図７】
2011122305.tif 000009
【図８】
2011122305.tif 000010